(57)【特許請求の範囲】
【請求項１】
容器の口部内周面に嵌合可能な内筒と、この内筒を取り囲むように垂下して容器の口部外周面と嵌合可能な外筒とを有し、この外筒がその周方向に沿って帯状に分離可能な注出具において、
外筒の内周面の下端面付近に環状の突出部を設けるとともに、
帯状部分として分離される外筒の下端面及び内周面に、当該下端面から突出部にかけて延在する凹部若しくは凸部又はこれらの組み合わせからなる少なくとも１つの滑り止めを設けたことを特徴とする注出具。
【請求項２】
請求項１において、前記注出栓は、前記帯状部分の先端から外筒の周方向に沿って薄肉の把持部を延在させ、この把持部と重なり合う外筒を窪ませてこの窪み部分に前記把持部を収納するものであることを特徴とする注出具。
【発明の詳細な説明】
【技術分野】
【０００１】
本発明は、容器の口部内周面に嵌合可能な内筒と、この内筒を取り囲むように垂下して容器の口部外周面と嵌合可能な外筒とを有し、この外筒がその周方向に沿って帯状に分離可能な注出具に関するものである。
【背景技術】
【０００２】
注出具は、その内筒及び外筒により容器の口部に強固に嵌合されることで、容器の口部に装着された状態では、内筒又はこれに繋がる注出筒により良好な注出が可能である一方、プルリングを設けることで引きちぎりによる開封も可能である。
【０００３】
その一方、容器の口部との嵌合が強固であるが故に、使用後の容器を回収するにあたって、容器から取り外すことが難しいことがあった。
【０００４】
このため、本願出願人は既に、注出具の外筒がその周方向に沿って帯状に分離できるようにすることで、容器の口部からの取り外しを容易にしたものを提案済みである（例えば、特許文献１参照）。
【特許文献１】実開平７−９７５１号公報
【発明の開示】
【発明が解決しようとする課題】
【０００５】
しかしながら、上記の構成は、本来筒形であったものを帯状にするため、分離の際に生じる復元力によって滑り易く、容器の口部との嵌合を解除させ難いという問題があった。
【０００６】
本発明の課題は、外筒をその周方向に沿って帯状に分離するに際し、その復元力によって滑り易いことにあり、本発明の目的とするところは、外筒が滑り難く、容器の口部との嵌合を解除させ易い注出具を提供することである。
【課題を解決するための手段】
【０００７】
本発明である注出具は、容器の口部内周面に嵌合可能な内筒と、この内筒を取り囲むように垂下して容器の口部外周面と嵌合可能な外筒とを有し、この外筒がその周方向に沿って帯状に分離可能な注出具において、外筒の内周面の下端面付近に環状の突出部を設けるとともに、帯状部分として分離される外筒の下端面及び内周面に、当該下端面から突出部にかけて延在する凹部若しくは凸部又はこれらの組み合わせからなる少なくとも１つの滑り止めを設けたことを特徴とするものである。
【０００８】
本発明において、「外筒がその周方向に沿って帯状に分離可能である」とは、内筒に対して外筒全体が帯状に分離可能であることは勿論、外筒の下側部分の内周面に突起を設け、この突起を容器の口部外周面に引っ掛けることでより強固な固定を実現している場合には、その下側部分のみが帯状に分離可能であることも含む。
【０００９】
また、本発明に従う注出栓には、前記帯状部分の先端から外筒の周方向に沿って薄肉の把手を延在させ、この把持部と重なり合う外筒を窪ませてこの窪み部分に前記把持部を収納可能にしたものが挙げられる。
【００１０】
更に、本発明に従えば、容器の口部に通じる注出筒を内筒と一体に又は別体に設けたり、プルリングによる引きちぎりで抜栓の可能な構成を採用したり、キャップを設ける等を行うことができる。
【発明の効果】
【００１１】
本発明である注出具は、外筒の内周面の下端面付近に環状の突出部を設けるとともに、帯状部分として分離される外筒の下端面及び内周面に、当該下端面から突出部にかけて延在する凹部若しくは凸部又はこれらの組み合わせからなる少なくとも１つの滑り止めを設けたことで、外筒を帯状に分離する際に復元力が生じても、指の腹に引っ掛かり易く、滑り難い。
【００１２】
従って、本発明によれば、外筒が滑り難く、容器の口部との嵌合を解除させ易い注出具を提供することができる。
【発明を実施するための最良の形態】
【００１３】
以下、図面を参照して、本発明である注出具を詳細に説明する。
【００１４】
図1は、本発明の一形態であるキャップ付き注出具100を一部断面で示す側面図である。また、図2は、同注出具を容器から取り外した状態を下方から示す斜視図である。
【００１５】
符号110は、容器の口部の内周面に嵌合する内筒である。符号120は、内筒110の外周面から突出して当該内筒110に一体に繋がる環状の肩部である。符号130は、肩部120から内筒110を取り囲むように垂下して容器の口部外周面と嵌合する外筒である。
【００１６】
即ち、注出具100には、内筒110と外筒130との相互間に、下向きに開放された環状溝ｇが形成されている。このため、注出具100は、その環状溝ｇに容器の口部を嵌合させることで固定保持されるとも言える。
【００１７】
外筒130の内周面131には、その下端面132の付近に環状の突出部133が設けられている。この突出部133は、容器の口部外周面に形成した環状の凹部に引っ掛かって強固な固定を実現する。
【００１８】
また、外筒130には、その周方向（軸線Ｏ周り）に沿って、一定の外力を加えることで破断可能な薄肉部134が設けられている。これにより、外筒130の一部を、その周方向に沿って一定の力で引っ張ることで、当該外筒130の一部は、帯状の部分（以下、「帯状部分」という）135として分離することができる。
【００１９】
なお、本形態では、外筒130の全周に亘って薄肉部134を形成しないことで、外筒130の一部を基部136として、肩部120を介して内筒110に連結させたままにしている。この場合、外筒130は、内筒110に対して完全に分離するのでなく、基部136を介して内筒110に繋がったままになるので、薄肉部134を効率的に破断させることができる。
【００２０】
更に、本形態では、外筒130の一部として分離される帯状部分135に関し、その先端135aから外筒130の周方向に沿って薄肉の把持部137を延在させ、この把持部137と重なり合う外筒130を窪ませて、この窪み部分138に把持部137を収納している。
【００２１】
帯状部分135に、その下端面135e(132)及び内周面135s(131)には、当該下端面135eから突出部133にかけて延在する複数の滑り止めＡsが設けられている。
【００２２】
図３(a)〜(c)はそれぞれ、図１の滑り止めＡsを拡大して示す要部断面図、同滑り止めＡsを外筒130の内周面131側から示す正面図及び、同滑り止めＡsを外筒130の外周面側から示す正面図である。
【００２３】
滑り止めＡsは、下端面135eから内周面135sにかけて膨出する凸部として構成されている。更に詳細には、図３(b)に示すように、内周面135sから下端面135eにかけて末広がりに膨出し、その外観形状が、同図及び図３(c)に示すように曲面で構成されている。
【００２４】
本発明に従う注出具100は、帯状部分135の下端面135e及び内周面131に設けた突出部133に、当該下端面135eから突出部133にかけて延在する凸部からなる複数の滑り止めＡsを設けたことで、外筒130を、図２に示す如く、帯状に分離する際に復元力が生じても、指の腹に引っ掛かり易く、滑り難い。
【００２５】
従って、本発明によれば、外筒130が滑り難く、容器の口部との嵌合を解除させ易い注出具100を提供することができる。
【００２６】
このため、滑り止めＡsとして注出具100のような構成を採用すれば、帯状部分135の外周面に滑り止めＡsを設けた場合に比べて、外筒135の一部又は全部を帯状部分135として分離し易い。従って、本発明によれば、容器の口部との嵌合を最も解除させ易く、効率的な分別な可能となる。
【００２７】
なお、本発明に係る滑り止めＡsは、帯状部分135のみならず、把持部137に設けてもよい。また、本発明に従えば、滑り止めＡsを設けるに加え、帯状部分135の外周面に、更なる滑り止めとしてローレット等を施すとも可能である。かかる構成の如く、帯状部分135の外周面にも滑り止めを設ければ、帯状部分135を更に分離させ易くなる。
【００２８】
本発明によれば、図１に示すように、肩部120に上方に起立する環状の周壁140を設け、この環状周壁140の外周面に形成したねじ部140sにより、別体のキャップＣを着脱可能に設けることができる。また、この周壁140の内側には、容器の口部に通じる注出筒150が一体に設けられ、良好な注出が可能となっている。更に、注出筒150の内側には、プルリング160による引きちぎりによって注出口を形成する抜栓部170を設けることができる。
【産業上の利用可能性】
【００２９】
本発明は、醤油やドレッシング等の食品関係に限定されることなく、液体や粘性ある内容物の注出に利用することができる。
【図面の簡単な説明】
【００３０】
【図１】本発明の一形態であるキャップ付き注出具を一部断面で示す側面図である。
【図２】同注出具を容器から取り外した状態を下方から示す斜視図である。
【図３】(a)〜(c)はそれぞれ、図１の滑り止めを拡大して示す要部断面図、同滑り止めを外筒130の内周面側から示す正面図及び、同滑り止めを外筒の外周面側から示す正面図である。
【符号の説明】
【００３１】
100   注出具
110   内筒
120   環状肩部
130   外筒
131   外筒内周面
132   外筒下端面
133   外筒内周面側突出部
134   薄肉部
135   帯状部分
136   基部
137   把持部
138   窪み部
140   環状周壁
150   注出筒
160   プルリング
170   抜栓部
Ａs   滑り止め
Ｃ    キャップ
【図１】
0005198931.tif 000002
【図２】
0005198931.tif 000003
【図３】
0005198931.tif 000004